(57)【要約】    【課題】  回転筒の小型化を図りつつ、回転筒のカム溝端部付近の変形を防止しつつ移動筒を駆動させることができるレンズ鏡筒を得ること。    【解決手段】  互いに対向した第１のカム面と第２のカム面が形成された回転筒と、該回転筒の第１のカム面にガイドされる第１のカムフォロアを介して、移動可能な移動筒と、該回転筒の第２のカム面にガイドされる第２のカムフォロアを介して、移動可能な支持部材と、該移動筒と該支持部材とを互いに光軸方向に関して離す方向に付勢する付勢手段とを有し、該付勢手段の付勢力によって該第１のカムフォロアは該第１のカム面に該第２のカムフォロアは該第２のカム面に圧接させられ、該第１のカム面は該支持部材が該付勢手段で付勢される方向と同じ方向を向いており、該第１のカムフォロアは、該第２のカムフォロアよりも該回転筒の該第２のカム面に近い側の筒端部側に配置されていること。【選択図】    図５
2009229828.tif 000002
【特許請求の範囲】
【請求項１】
互いに対向した第１のカム面と第２のカム面が形成された回転筒と、
該回転筒の第１のカム面にガイドされる第１のカムフォロアを介して、該回転筒の回転により光軸方向に移動可能な移動筒と、
該回転筒の第２のカム面にガイドされる第２のカムフォロアを介して、該回転筒の回転により該移動筒に対して光軸方向に移動可能な支持部材と、
該移動筒と該支持部材とを互いに光軸方向に関して離す方向に付勢する付勢手段とを有し、
該付勢手段の付勢力によって該第１のカムフォロアは該第１のカム面に圧接させられ、該第２のカムフォロアは該第２のカム面に圧接させられるレンズ鏡筒において、
該第１のカム面は該支持部材が該付勢手段で付勢される方向と同じ方向を向いており、
該第１のカムフォロアは、光軸方向にて、該第２のカムフォロアよりも該回転筒の該第２のカム面に近い側の筒端部側に配置されていることを特徴とするレンズ鏡筒。
【請求項２】
前記第１のカム面と前記第２のカム面は１つの溝部の側面からなることを特徴とする請求項１のレンズ鏡筒。
【請求項３】
前記支持部材は光軸を中心とする円弧形状で、前記移動筒の周方向に複数形成されており、該複数の支持部材は各々円弧形状の中心位置から光軸方向に延びる腕部を有し、該腕部に前記第２のカムフォロアが支持されていることを特徴とする請求項１又は２のレンズ鏡筒。
【請求項４】
前記支持部材は光軸に対して垂直方向に延びた基板部を有し、該基板部が前記移動筒の端部に前記付勢部材を介して当接して該支持部材は該移動筒に取り付けられていることを特徴とする請求項３のレンズ鏡筒。
【請求項５】
前記第１のカムフォロアは、前記移動筒に対して光軸方向であって、前記第２のカムフォロアと前記支持部材の基板部との間に取り付けられていることを特徴とする請求項４のレンズ鏡筒。
【請求項６】
前記移動筒はレンズ部材を保持しており、該レンズ部材の光軸方向の一方側に最も競り出した部分を第１の部分、光軸方向の他方側に最も競り出した部分を第２の部分とするとき、前記第１、第２のカムフォロアはいずれも光軸方向にて該第１の部分と該第２の部分との間に配置されることを特徴とする請求項１乃至５のいずれか１項のレンズ鏡筒。
【請求項７】
請求項１乃至６のいずれか１項のレンズ鏡筒を有していることを特徴とする光学機器。
【発明の詳細な説明】
【技術分野】
【０００１】
本発明は、回転筒の回転に連動してレンズ部材を保持する移動筒を光軸方向に移動させる機構を有するレンズ鏡筒に関し、例えばビデオカメラ、デジタルスチルカメラ、ＴＶカメラ等の光学機器に好適なものである。
【背景技術】
【０００２】
デジタルカメラやビデオカメラ等の光学機器に用いられているレンズ鏡筒では、フォーカスやズーミングに際してレンズ部材を保持したレンズ保持部材を回転筒の回転によって光軸方向に移動させている。
【０００３】
この機構を有するレンズ鏡筒では、レンズ保持部材の光軸方向への移動において、光軸方向にガタのない状態で移動させることが合焦精度やズーミング精度を向上させるのに重要となる。
【０００４】
レンズ保持部材と同方向に移動する移動部材を設け、この移動部材とレンズ保持部材との間にガタ防止用のばね（付勢手段）を介装する構成が知られている。このとき、付勢手段の付勢力がレンズ位置によって大きく変化しないようにしたレンズ鏡筒が知られている。
【０００５】
上記構成のレンズ鏡筒では、各部材間の摩擦トルクの変動を低減してレンズ保持部材の停止特性を向上させ、合焦光学系あるいはズーミング光学系を所定の位置に精度よく移動させている。
【０００６】
また、レンズ保持部材を駆動する第１の駆動機構と、移動部材を駆動する第２の駆動機構とでレンズ固定部の案内溝を共用、或いは第１と第２の駆動機構とで回転筒のカム溝を共用したレンズ鏡筒が知られている（特許文献１）。
【０００７】
特許文献１では、回転筒の加工を簡単化し、強度を向上させて回転筒の光軸方向の長さを短縮化したレンズ鏡筒を開示している。
【０００８】
また、レンズ保持部材と複数の移動部材とばねをユニット化して組立性の改善を図った上で、レンズ保持部材と各移動部材の光軸方向の相対許容量を制限し、さらに互いの光軸周りでの相対回動を許容した構成のレンズ鏡筒が知られている（特許文献２）。
【０００９】
特許文献２では、回転筒と上記ユニットの光軸方向のガタ、回転方向のガタを抑えたレンズ鏡筒を開示している。また、治具を使用することなくこのユニットを回転筒又は固定筒に組付けるようにして、レンズ保持部材の駆動負荷を低減及び倒れによる光学性能の悪化を抑制できるようにしたレンズ鏡筒を開示している。
【特許文献１】特開平５−７３７７５号公報
【特許文献２】特開２０００−３０４９９６号公報
【発明の開示】
【発明が解決しようとする課題】
【００１０】
特許文献１のレンズ鏡筒は、光軸方向の前側（被写体側）にあるカムフォロアが前側に向かって付勢され、後ろ側（像面側）にあるカムフォロアが後ろ側に向かって付勢されている。
【００１１】
この場合、光軸方向においてカム溝の端部から回転筒の端面までの肉厚が薄くなった部分では付勢力によって回転筒の一部が変形する恐れがある。そのため回転筒の光軸方向の長さをカム溝の光軸方向の長さに対して十分長く確保しておくか、カム溝を有底溝にするなどして強度を確保する必要がある。この結果、回転筒が光軸方向及び径方向に大型化する傾向がある。
【００１２】
また、特許文献２のレンズ鏡筒では、レンズ保持部材と各支持部材の光軸周りでの相対移動を許容して駆動時の余計な負荷がかかることを回避している。
【００１３】
特許文献２では、レンズの重心位置とカムフォロア取付位置の光軸方向にズレがあると、レンズ保持部材が回転筒に対して倒れ易くなってくる。又、位相の異なる位置に複数設けられたカムフォロアがカム面を押圧する力にばらつきが生じると駆動制御性が低下してくる場合がある。
【００１４】
本発明は、回転筒の小型化を図りつつ、回転筒のカム溝端部付近の変形を防止することができ、回転筒の回転駆動の際の制御性を良好に維持しつつ、レンズ部材を保持する移動筒を駆動させることができるレンズ鏡筒及びそれを有する光学機器の提供を目的とする。
【課題を解決するための手段】
【００１５】
本発明のレンズ鏡筒は、互いに対向した第１のカム面と第２のカム面が形成された回転筒と、
該回転筒の第１のカム面にガイドされる第１のカムフォロアを介して、該回転筒の回転により光軸方向に移動可能な移動筒と、
該回転筒の第２のカム面にガイドされる第２のカムフォロアを介して、該回転筒の回転により該移動筒に対して光軸方向に移動可能な支持部材と、
該移動筒と該支持部材とを互いに光軸方向に関して離す方向に付勢する付勢手段とを有し、
該付勢手段の付勢力によって該第１のカムフォロアは該第１のカム面に圧接させられ、該第２のカムフォロアは該第２のカム面に圧接させられるレンズ鏡筒において、
該第１のカム面は該支持部材が該付勢手段で付勢される方向と同じ方向を向いており、
該第１のカムフォロアは、光軸方向にて、該第２のカムフォロアよりも該回転筒の該第２のカム面に近い側の筒端部側に配置されていることを特徴としている。
【発明の効果】
【００１６】
本発明によれば、回転筒の小型化を図りつつ、回転筒のカム溝端部付近の変形を防止することができ、回転筒の回転駆動の際の制御性を良好に維持しつつ、レンズ部材を保持する移動筒を駆動させることができるレンズ鏡筒が得られる。
【発明を実施するための最良の形態】
【００１７】
以下に、本発明の実施の形態を添付の図面に基づいて詳細に説明する。
【００１８】
本発明のレンズ鏡筒は、光軸周りに回転可能な回転筒（カム筒）を有している。回転筒の周囲には１つの溝部の両側面より成る互いに対向した第１のカム面と第２のカム面が形成されている。
【００１９】
レンズ部材を保持する移動筒（レンズ保持枠）は、回転筒の第１のカム面にガイドされる第１のカムフォロアを介して回転筒の回転により光軸方向に移動可能に構成されている。
【００２０】
移動筒に対して光軸方向に移動可能となるように付勢手段を介して支持部材が設けられている。この支持部材の一部には回転筒の第２のカム面にガイドされる第２のカムフォロアが支持されている。支持部材は、回転筒の第２のカム面にガイドされる第２のカムフォロアを介して回転筒の回転により光軸方向に移動可能に構成されている。
【００２１】
移動筒と支持部材を互いに光軸方向に離す方向に付勢する付勢手段を有している。この付勢手段の付勢力によって第１のカムフォロアを第１のカム面に圧接（押圧）させ、又第２のカムフォロアを第２のカム面に圧接させている。
【００２２】
回転筒に形成した第１のカム面は支持部材が付勢手段で付勢される方向と同じ方向を向いている。
【００２３】
回転筒のうち光軸方向の両筒端部のうち第１のカム面に近い端部側を第１の筒端部、第２のカム面に近い端部側を第２の筒端部とする。このとき光軸方向にて第１のカム面にガイドされる第１のカムフォロアは第２のカム面にガイドされる第２のカムフォロアよりも第２の筒端部側に配置（位置）されている。
【００２４】
このように本発明のレンズ鏡筒では、回転筒（カム筒）のカム溝の終端付近で光軸方向に肉厚の薄くなった部分に第１のカムフォロアの押圧力が直接作用しないように第１のカムフォロアの押圧方向を設定している。このため、押圧力による回転筒の変形を抑えることができる。
【００２５】
従って、カム溝を有底カムにする必要がなくなったり、回転筒のスラスト長を延長する必要がなくなる。このため、ガタ寄せなどの複雑な機構をコンパクトなカム筒により容易に達成することができる。
【００２６】
次に本発明のデジタルカメラやビデオカメラ等の光学機器に用いられるレンズ鏡筒の各実施例について説明する。
【実施例１】
【００２７】
図１から図６には、本発明の実施例１であるレンズ鏡筒を示している。なお、図１はレンズ本体の斜視図、図２はフォーカス移動群の詳細図、図３はレンズ本体の側面図、図４は図３の透視図、図５はカム筒の展開図である。
【００２８】
これらの図において、１は不図示のカメラボディに対して装着された不動の固定筒である。この固定筒１には光軸方向に延びる案内溝（光軸方向案内部）１ｂ、１ｃと、後述するピン３を組み込むための穴１ｅと、周方向に延びる嵌合溝１ｆとが形成されている。
【００２９】
２は固定筒１の内周に回転自在に嵌合するカム筒（回転筒）である。このカム筒２には、第１のカム面２ｂおよびこの第１のカム面２ｂと対向した同形状の第２のカム面２ｃを有するカム溝２ｋと、後述するピン３を組み込むための穴２ｄとが形成されている。
【００３０】
固定筒１に設けた嵌合溝１ｆにはカム筒２の外周に取り付けられるピン３が係合され、これによりカム筒２は、固定筒１に対し、光軸方向の移動が阻止された状態で光軸回りで回転可能となる。
【００３１】
４はレンズ部材（フォーカスレンズ又はズーム用レンズ）Ｌを保持するレンズ保持筒（移動筒）であり、カム筒２の内周に光軸方向に移動可能に保持されている。このレンズ保持筒４の本体部の外周３箇所の取付け部４ａに、第１のカム面２ｂにガイドされる（係合する）第１のカムフォロア７が取り付けられる。この第１のカムフォロア７は、カム筒２に形成された第１のカム面２ｂに当接係合するとともにここを貫通して固定筒１に形成された案内溝１ｃに当接係合する。
【００３２】
また、レンズ保持筒４の本体部の後端（像面側の端部）にはザグリ形状４ｂ−１、ザグリ端面４ｂ−２、レンズ保持筒４の外周面には光軸方向の切り欠き４ｃが周方向で３箇所均等に設けられている。
【００３３】
５はレンズ保持筒４の本体部の後端側から、本体部との間に所定間隔を空けて配置される支持部材である。支持部材５はレンズ保持部材４に対して光軸方向に移動可能となっている。
【００３４】
本実施形態では、支持部材５が複数形成されている。例えば３つの支持部材５をレンズ保持筒４の周方向３箇所にそれぞれ均等に配置している。各支持部材５は、光軸位置を中心とした円弧形状に形成されている。
【００３５】
各支持部材５は光軸に対して垂直方向に延びた基板部５ｅを有している。
【００３６】
各支持部材５の基板部５ｅの前端面（被写体側の端部）５ａは、コイルばね（付勢部材）６が当接する面である。
【００３７】
基板部５ｅが移動筒４の端部に付勢部材６を当接して支持部材５は移動筒４に取り付けられている。
【００３８】
また、各支持部材５の円弧形状中央（円弧形状の中心位置）には、前端面５ａ側へ光軸と平行に延びる凸形状部（腕部）５ｄが設けられ、その先端付近に第２のカムフォロア８が取り付けられる（支持される）穴（穴部）５ｂが形成されている。第２のカムフォロア８は、カム筒２に形成された第２のカム面２ｃに当接係合し、ガイドされるとともにここを貫通して固定筒１に形成された案内溝１ｂに当接係合する。さらに、各支持部材５の基板部における周方向の両端近傍には、光軸と平行に延びて各支持部材５を貫通するとともに、支持部材５の周方向を長手方向とする（つまり、光軸を中心とした円弧形状の）長穴５ｃが形成されている。
【００３９】
９はレンズ保持筒４の本体部の後端方向から取り付けられる光軸と平行に延びる軸ビスである。この軸ビス９は、頭部９ａと、軸部９ｂと、ネジ部９ｃとを有している。この軸ビス９は、ネジ部９ｃの側から支持部材５の長穴５ｃに通され、後述のねじりコイルバネ６に通された後、レンズ保持枠４のザグリ穴４ｂ−１（４ｂ−２）と軸部９ｂが嵌合し、ネジ部９ｃがレンズ保持筒４の本体部にネジ止めされる。なお、軸部９ｂの長さは、支持部材５の光軸方向の幅よりも所定の長さ（この長さについては後述する）だけ長く設定されている。
【００４０】
６はレンズ保持筒４と支持部材５の間に配置されるコイルばね（付勢手段）である。コイルバネ６は、レンズ保持筒４のザグリ端面４ｂ−１（４ｂ−２）と支持部材５の基板部の前端面５ａとの間で圧縮されて保持されている。
【００４１】
これにより、レンズ保持筒４と支持部材５とは、光軸方向に互いに離れる方向に付勢される。そして、このように互いに離れる方向に付勢されたレンズ保持筒４と支持部材５とは、支持部材５が軸ビス９の頭部９ａに当接することによって光軸方向の相対移動許容量が制限される。これにより、コイルばね６と、これによって互いに離れる方向に付勢されるレンズ保持筒４および支持部材５とがユニット化される（移動レンズユニット）。
【００４２】
尚、図２に示すように第１のカムフォロア７は移動筒４に対して光軸方向であって、第２のカムフォロア８と支持部材５の基板部５ｅとの間に取り付けられている。
【００４３】
以上のように構成されるレンズ鏡筒は不図示の光学機器を構成するカメラボディに装着される。そして、カメラ（光学機器）のレリーズボタンが半押し操作されると、カメラボディ内の焦点検出装置で演算された焦点検出信号がレンズ鏡筒内のＣＰＵ（不図示）に入力される。そして、ＣＰＵは不図示の駆動装置によりカム筒２を回転させる。
【００４４】
これに伴ってカム筒２の第１のカム面２ｂが光軸回りで移動し、第１のカムフォロア７が案内溝１ｃに沿って光軸方向に駆動され、レンズ保持筒４とともに移動レンズＬが光軸方向に移動してフォーカシングが行われる。
【００４５】
ＣＰＵは不図示のエンコーダによって検出されるレンズ移動量が上記演算されたレンズ移動量に達すると、駆動を停止させる。
【００４６】
次に上記のように構成されるレンズ鏡筒の組み立てについて説明する。まず、レンズ保持筒４にフォーカスレンズＬをカシメ等により固定する。
【００４７】
次に、コイルばね６をレンズ保持筒４のザグリ穴４ｂ−１に挿入し、支持部材５をレンズ保持筒４の後端側に配置する。そして、軸ビス９を支持部材５の長穴５ｃ、コイルバネ６に挿入して、レンズ保持筒４にネジ止めし、レンズ保持筒４、支持部材５およびコイルばね６をユニット化する。
【００４８】
このようにユニット化（４、５、６）された状態で、レンズ保持筒４と支持部材５とは、光軸方向に相対移動可能である。それとともに、前述したように、支持部材５がコイルバネ６で付勢されて軸ビス９の頭部９ａに当接することによって光軸方向の相対移動許容量が制限される。
【００４９】
また、軸ビス９と長穴５ｃとの周方向の隙間分だけ光軸回りにてレンズ保持鏡筒４と支持部材５は相対回動が許容される。
【００５０】
以下、このユニットを移動レンズユニットと称する。
【００５１】
続いて、カム筒ユニットの組立について説明する。
【００５２】
まず、固定筒１の内周側にカム筒２を挿入後、カム筒２を回転させてカム筒２の外周側に設けられた穴２ｄが、固定筒１の外周側に設けられた穴１ｅから見える状態にする。そして、穴１ｅからピン３を穴２ｄにねじ込み、ピン３の反対側を固定筒１に設けられた嵌合溝１ｆに嵌合させる。
【００５３】
この作業を繰返して、３つのピン３をカム筒２に形成された組み込み用の３つの穴２ｄに組み込む。
【００５４】
次に、３つの第１のカムフォロア７を、固定筒１に形成された案内溝１ｃおよびカム筒２に形成されたカム溝１ｋを貫通させてレンズ保持筒４に設けられた穴４ａにネジ止めする。また、３つの第２のカムフォロア８を、固定筒１に形成された案内溝１ｂおよびカム筒２に形成されたカム溝２ｋを貫通させて３つの支持部材５に設けられた穴５ｂにネジ止めする。
【００５５】
ここで、レンズ保持筒４と支持部材５との光軸方向の相対移動可能量（つまりは、軸ビス９の軸部９ｂの長さ）は、次のとおりである。レンズ保持筒４と支持部材５とが第１および第２のカムフォロア７、８を第１および第２のカム面２ｂ、２ｃに当接させる位置まで離れる量よりも若干大きく設定している。
【００５６】
したがって、カムフォロア７、８をレンズ保持筒４および支持部材５に取り付ける際には、レンズ保持筒４と支持部材５とをコイルばね６の付勢力に抗して近づけながら行う。
【００５７】
しかし、本実施形態では、支持部材５が従来のようなリング状の一体のものではなく、円弧状に形成されて３つ（複数）に分かれているため、支持部材５を１つ１つレンズ保持筒４に近づけながらカムフォロア７、８を取り付けていけばよい。
【００５８】
したがって、従来のようにリング状の一体の支持部材を光軸直交面から傾かないようにレンズ保持筒に近づけながらカムフォロアを取り付けなければならない場合に比べて、容易にカムフォロア７、８の取り付けを行うことができる。
【００５９】
こうしてレンズ保持筒４と支持部材５にカムフォロア７、８を取り付けた後、レンズ保持筒４と支持部材５とを近づけるように押していた力を開放する。そしてコイルばね６の付勢力によって、第１のカムフォロア７は第１のカム面２ｂに、第２のカムフォロア８は第２のカム面２ｃにそれぞれ圧接（押圧）される。これにより、レンズ保持筒４のカム筒２に対する光軸方向のガタを除去している。
【００６０】
次に、図３を用いて本実施形態のレンズ鏡筒においてレンズ保持筒４と支持部材５との相対回動を許容した理由について説明する。この図３において、固定筒１に形成された案内溝１ｃとカム筒２に形成されたカム溝２ｋによって形成される空間部には、第１のカムフォロア７が配置されている。そして、固定筒１に形成された案内溝１ｂとカム筒２に形成されたカム溝２ｋによって形成される空間部には、第２のカムフォロア８が配置されている。これらカムフォロア７、８はコイルバネ６によって、矢印の如く光軸方向において互いに近づく方向に付勢されている。
【００６１】
尚、回転筒２に形成した、カムフォロア７が当接し、ガイドされる第１のカム面２ｂは支持部材５が付勢手段５で付勢される方向（図３では矢印Ａ２方向）と同じ方向（矢印Ａ１と逆方向）を向いている。
【００６２】
このために、第１のカムフォロア７は固定筒１の案内面１ｃ−２とカム筒２の第１のカム面２ｂとで構成される角に寄せられる。また、第２のカムフォロア８は、案内面１ｂ−１と第２のカム面２ｃとで構成される角に寄せられる。
【００６３】
ここで、固定筒１の案内溝１ｂの幅（１ｂ−１と１ｂ−２の間隔）ｗ１ｂ、案内溝１ｃの幅（１ｃ−１と１ｃ−２の間隔）ｗ１ｃは、カムフォロア７、８の外径よりも若干大きく設定されている。このため、第１のカムフォロア７は案内溝１ｃの一方の案内面１ｃ−２側に寄せられ、第２のカムフォロア８は案内面１ｂ−１側に寄せられる。従って、両カムフォロア７、８は固定筒１の案内溝１ｂ、１ｃで挟まれた領域１ｇに向かって付勢力を働かせることになり、これによりカム筒２に対してレンズ保持筒４の回転方向のガタが除去される。
【００６４】
今、レンズ保持筒４、支持部材５、カムフォロア７、８、固定筒１の案内溝１ｂ、１ｃおよびカム筒２のカム面２ｂ、２ｃ等に製造誤差や組み付け誤差があったとする。又３つの支持部材５を付勢する計６つのコイルばね６に付勢力のばらつきがあったとする。しかしながら本実施例の構成によればレンズ保持筒４と各支持部材５との相対回動量はそれら誤差やばらつき等に応じて適宜自動的に、かつ独立して調整されることになる。
【００６５】
本実施例において、レンズ保持筒４が最も繰り込んだ状態（像面側に移動した状態）では、カム溝２ｋの使用位置と両カムフォロア７、８の位置は図５で示されるような位置関係となる。そして、両カムフォロア７、８は矢印Ａ１、Ａ２で表される方向にカム面２ｂ、２ｃを押圧している。
【００６６】
ここで、カムフォロア７とカム筒２の後端面（第２の筒端部）２ｍで挟まれた部分のカム筒２の肉厚をＸ１、カムフォロア８とカム筒２の後端面で挟まれた部分のカム筒２の肉厚をＸ２とすると、Ｘ１＜Ｘ２の関係になっている。
【００６７】
本件ではカム筒２の肉厚が厚い（Ｘ２）側のカムフォロア８をカム筒２の後端側に向けて押圧し（圧接し）、カム筒２の肉厚が薄い（Ｘ１）側のカムフォロア７をカム筒２の前端面（第１の筒端部）２ｎ側に向けて押圧（圧接）されている。
【００６８】
以上のようにカムフォロア７、８がカム面を押圧する方向を設定することで、カム筒２の後端側（第２の筒端部）２ｍの肉厚の薄い側にばね付勢力が作用しないようにしている。従って、カム溝幅が広がったり、部分的に変形したりすることに対して有利になる。
【００６９】
従来、カム筒の強度を増加させる場合、カム筒の光軸方向の端面位置をカム溝の終端位置に対して十分長く確保したり、カム筒の径方向の肉厚を増したり、カム溝を有底にする必要があった。
【００７０】
これに対して本実施形態によれば、カム筒２の光軸方向長さや径方向厚さを増加させることなく、またカム溝を有底カムにすることなしにカム筒２の変形を効果的に抑制することができる。
【００７１】
本実施例では、カム溝２ｋの後終端部からカム筒２の後端面２ｍまでの光軸方向での肉厚が薄い場合を例にとった。本実施例では、更にカム溝２ｋの前終端部からカム筒２の前端面２ｎまでの光軸方向での肉厚が薄い場合でも全く同じ構成でカム溝終端部付近での変形を抑えることができる。
【実施例２】
【００７２】
図６、図７、図８は本発明の実施例２の説明図であり、図１と同様な箇所には同一の符号を付けてある。図６はレンズ本体を後ろ側（像面側）から見た図、図７、図８は図６のレンズ本体の主要断面図である。
【００７３】
本実施例では、レンズ保持部材４の取り付け部４ａにビス止めで取り付ける第１のカムフォロア７の光軸方向の取付位置と、支持部材５の凸形状部５ｄに取り付ける第２のカムフォロア８の光軸方向の取付位置を適切に設定している。具体的にはレンズＬの外周上の光軸方向の厚みｔの範囲内に設けている。
【００７４】
即ち、レンズＬの外形において光軸方向の一方側（物体側）の位置（第１の部分）と他方側（像側）の位置（第２の部分）の間（間隔ｔ）の範囲内に第１、第２のカムフォロア７、８が位置するようにしている。
【００７５】
ここで、例えばレンズ群Ｌが両凸形状のときは間隔ｔは光軸上の厚さに相当する。又、両凹形状のときは間隔ｔはレンズのコバ厚に相当する。
【００７６】
第１のカムフォロア７と第２のカムフォロア８の取付位置を図６、図７、図８のように設定すると、光軸方向において第１のカムフォロア７と第２のカムフォロア８の近くにレンズＬの重心が位置することになる。
【００７７】
したがって、カム筒２に対してレンズ移動枠４が光軸方向に倒れようとするモーメントを減らすことができる。そのため、カム筒２の周上に３箇所設けたカム面２ｂ、２ｃとカムフォロア７、８の各接触力が大きくずれることがなくなるので、カム筒２の回転駆動の際の制御性の向上が図れる。
【００７８】
以上のように本実施例ではレンズ部材Ｌの光軸方向の一方側に最も競り出した部分を第１の部分、光軸方向の他方側に最も競り出した部分を第２の部分とする。このとき、第１、第２のカムフォロア７、８はいずれも光軸方向にて第１の部分と第２の部分との間に配置されるようにしている。
【００７９】
これによって重心バランスの取れた位置で移動レンズユニットを回転筒に保持させることで、移動レンズユニットがカム筒に対して倒れようとするモーメントを減らし、倒れによる光学性能の低下を軽減することができる。
【００８０】
また、複数の位相に設けられたカム面とカムフォロアの各接触力が大きくずれることがなくなるので、カム筒の回転駆動の際の制御性を向上させることができる。
【００８１】
なお、上記各実施形態では、固定筒１の内周にカム筒２などの回転筒を嵌合させる場合について説明したが、これとは逆に固定筒１の外周に回転筒１を嵌合させてもよい。
【００８２】
また、上記各実施形態におけるレンズ保持筒４と支持部材５の光軸方向の位置を入れ替えてもよい。
【００８３】
また、固定筒１にカム溝を設けてその外周面に嵌合する回転筒（カム溝）に案内溝を設けてもよいし、固定筒１にカム溝を設けて案内溝を設けたキーでカムフォロア７、８に係合するように構成してもよい。
【００８４】
また、支持部材５をレンズ保持筒４の光軸方向後側に配置した場合について説明したが、支持部材５をレンズ保持筒４の光軸方向前側に配置、双方の位置を入れ替えるようにしても良い。
【００８５】
さらに、上記各実施形態では、フォーカス用のレンズＬを駆動する場合について説明したが、ズーミング用のレンズＬを駆動する場合にも同様に適用できる。また、上記各実施形態では、レンズ保持筒４にカムフォロア７、８を設けた場合について説明したが、レンズ保持筒４以外の鏡筒構成部材としての移動筒に対して本発明を適用してもよい。
【００８６】
さらに上記各実施形態では、カムフォロア７、８が係合するカム面２ｂ、２ｃ、を１本の直線カム溝を用いて形成した場合について説明したが、曲線状のカム溝を用いたものでも良い。また、２本の同一形状の直線カムや、幅の広い１本の曲線カム溝や、２本の同一形状の曲線カムを用いて形成してもよい。
【００８７】
また、形状が異なる２本の直線カムや曲線カム、あるいは１本の直線カムと１本の曲線カムという組み合せにより形成してもよい。
【００８８】
また、上記各実施形態では、付勢部材としてコイルばねを用いた場合について説明したが、コイルばねに代えて、ウェーブワッシャや板ばねあるいは皿ばねなどを用いてもよい。
【００８９】
また、上記各実施形態ではレンズＬは１枚のレンズとして説明したが、複数枚からなるレンズ群である場合にも適用できる。
【００９０】
以上のように、各実施例のレンズ鏡筒によれば、ガタ寄せの付勢力がカム面が形成された回転筒の光軸方向に肉厚になっている部分に作用するようにしている。これにより、回転筒の小型化を図り、かつ回転筒のカム溝端部付近の変形を防止しつつレンズ保持枠を移動することができる。
【００９１】
また、重心バランスの取れた位置でレンズ移動ユニットを回転筒に保持させている。これによりレンズ保持枠が回転筒に対して倒れようとするモーメントを減らし、回転筒の回転駆動の際の制御性を向上させることができる。
【図面の簡単な説明】
【００９２】
【図１】本発明の実施例１のレンズ鏡筒の焦点合わせ機構の主要断面図
【図２】本発明の実施例１に係るヘリコイド鏡筒の組込み図
【図３】本発明の実施例１に係るヘリコイド鏡筒の展開斜視図
【図４】本発明の実施例１に係るオスヘリコイド筒の斜視図
【図５】本発明の実施例１に係るガタ抑制構造の組込み途中の上面図
【図６】本発明の実施例２に係るガタ抑制構造の組込み完成状態の上面図
【図７】本発明の実施例２に係る図６のＡ−Ａ断面図
【図８】本発明の実施例２に係る図６のＢ−Ｂ断面図
【符号の説明】
【００９３】
１    固定筒
２    カム筒（回転筒）
３    ピン
４    レンズ保持枠（移動筒）
５    支持部材
６    コイルバネ（付勢手段）
７    第１のカムフォロア
８    第２のカムフォロア
９    軸ビス
ｎ    第１の筒端部
ｍ    第２の筒端部
１ｂ、１ｃ    案内溝
１ｆ    嵌合溝
１ｋ    カム溝
２ｂ    第１のカム面
２ｃ    第２のカム面
Ｌ    レンズ部材
５ｄ    腕部
５ｅ    基板部
【図１】
2009229828.tif 000003
【図２】
2009229828.tif 000004
【図４】
2009229828.tif 000005
【図６】
2009229828.tif 000006
【図７】
2009229828.tif 000007
【図８】
2009229828.tif 000008
【図３】
2009229828.tif 000009
【図５】
2009229828.tif 000010